(57)【要約】【課題】光源側から出射された露光用の光ビームを、光ビーム偏向器の高速回転されている偏向部材の反射面で反射させ焦点位置を安定して走査面上に合わせて、高精度の露光を可能とする。【解決手段】光ビーム偏向器における光源側の光学系から画像情報に応じて変調された光ビームを円偏光の状態で偏向部材３８へ向けて出射し、この円偏光の状態で出射された光ビームを、反射面４２と同期して回動するよう設置された円偏光を直線偏光に変換する手段であるλ／４偏光板４４等によって、Ｓ偏光となるように変換して偏向部材３８の反射面４２に入射させ、回転駆動される偏向部材３８の反射面４２で偏向し、記録媒体を走査露光する。【選択図】図４
2007156185.tif 000002
【特許請求の範囲】
【請求項１】
記録媒体に画像を記録するため、画像情報に応じて変調された光ビームを、回転駆動される偏向部材の反射面で偏向し走査する光ビーム偏向器において、
前記画像情報に応じて変調された光ビームを円偏光の状態で前記偏向部材へ向けて出射する光源側の光学系と、
前記光源側の光学系から円偏光の状態で出射された前記光ビームを、前記反射面に対してＳ偏光となるように変換して前記偏向部材の前記反射面に入射される状態を保つように前記反射面と同期して回動するよう設置された円偏光を直線偏光に変換する手段と、
を有することを特徴とする光ビーム偏向器。
【請求項２】
前記光源側の光学系を、前記光源から出射された直線偏光の光ビームを、λ／４偏光板で円偏光に変換するように構成したことを特徴とする請求項１に記載の光ビーム偏向器。
【請求項３】
前記光源側の光学系から出射された円偏光の前記光ビームを、前記反射面に対してＳ偏光に変換するための前記λ／４偏光板を、前記偏向部材の入射面に固定して設置したことを特徴とする請求項１又は請求項２に記載の光ビーム偏向器。
【発明の詳細な説明】
【技術分野】
【０００１】
この発明は、レーザービームの走査光学系により円筒ドラム内面に配置した感光面を走査して露光処理するインナードラム露光装置（内面走査型光ビーム走査露光装置）等に用いて好適な、常に一定のピント位置を確保することにより高画質の記録を可能とした光ビーム偏向器に関する。
【背景技術】
【０００２】
一般に、オフセット印刷には、感光性平版印刷版（いわゆるＰＳ版）が利用されている。また、この平版印刷の分野では、コンピュータ等のデジタルデータに基づいてレーザー露光処理をし、自動現像機で感光性平版印刷版上に形成された潜像を顕像に変換する現像処理をして直接印刷版を製版するＣＴＰ（Ｃｏｍｐｕｔｅｒ  ｔｏ  Ｐｌａｔｅ）システムが実用化されている。
【０００３】
このようなＣＴＰシステムでは、円筒ドラムの内周面上に配置した記録媒体である感光性平版印刷版の感光面にレーザー等の光ビームを導いて走査露光処理を行うインナードラム露光装置（内面走査型光ビーム走査露光装置）が広く用いられている。
【０００４】
このインナードラム露光装置は、光ビーム偏向器（モノゴンスキャナー）としてのスピナーミラー装置を備える。このスピナーミラー装置は、高速で回転駆動されるスピナーミラーに、光源側の光学系からの集光ビームを反射させて、記録媒体の感光面上に対して主走査方向に偏向走査を行うと共に、副走査移動手段によってスピナーミラー部分を、インナードラム支持体の円弧中心軸の軸線方向に等速度で移動して副走査することにより、記録媒体の感光面の全面に露光処理を行う。
【０００５】
この光ビーム偏向器（モノゴンスキャナー）では、スピナーミラーをプリズム部材で構成した場合に、高速回転による遠心力でプリズム部材の反射面及び入出射面に歪を生じ偏向方向とこれに垂直な方向での焦点位置が異なってしまうこと（非点収差）が発生し、ビームスポットを小さく維持する事が困難となり、画質が劣化するという問題があった。
【０００６】
例えば、従来の光ビーム偏向器には、光路に沿って開口を設けた円筒筐体の内部に、プリズム部材を配置して構成したものが提案されている。このプリズム部材の反射面は、円筒筐体の中心線に対して角度４５度傾斜している。
【０００７】
この光ビーム偏向器では、入射光ビ−ムを円筒筐体の開口部から入光させ、プリズム部材の反射面で反射させる。反射光ビ−ムは、円筒筐体の側面に穿設された側開口部から出光し、記録媒体上に集光される。
【０００８】
この円筒筐体は、光ビ−ムを走査するために高速回転（１０，０００ｒｐｍ以上）されるので、プリズム部材反射面が遠心力で変形して光ビ−ム内に収差が発生する。
【０００９】
そこで、従来の光ビーム偏向器では、円筒筐体の開口部に、プリズム部材の反射面に対して角度の調整が可能なように光平面ガラス板を配置し、この光平面ガラス板のプリズム部材反射面との相対的な角度を調整することによって、収差を解消する波面収差補正を行うものが提案されている（例えば、特許文献１参照。）。
【００１０】
しかし、このような従来の光ビーム偏向器では、プリズム部材を高速回転させて走査露光を行う際に、プリズム部材の反射面に反射させる光ビームの偏光方向により焦点位置が変化するという現象が実験で確認された。これは、プリズム部材を高速回転させるときの遠心力で、プリズム内部に応力分布が生じるため、光弾性効果による複屈折で、偏光方向により焦点位置が変化する現象であると考えられる。
【００１１】
すなわち、このような光ビーム偏向器では、レーザー光源から光学系によって出射される露光用のレーザービームが一定の直線偏光であるのが普通である。
【００１２】
このため、このような光ビーム偏向器で露光処理する場合には、一定の直線偏光であるレーザービームをプリズム部材の反射面で反射させながらプリズム部材を回転させて走査する動作の際に、プリズム部材の反射面に入射するレーザービームの偏光方向が走査位置により変化することになり、走査面上でピント位置が変化し、場所によって非点収差を生じ、露光面上でビームスポットを小さく維持する事が困難となり、画質が劣化するという問題が実験により確認された。
【特許文献１】米国特許番号５，７６８，００１号公報
【発明の開示】
【発明が解決しようとする課題】
【００１３】
本発明は、上述の問題に鑑み、光源側から出射された露光用の光ビームを高速回転されている偏向部材の反射面で反射させて感光面を走査することにより露光処理を行う際に、偏向部材の反射面に入射する光源からの光ビームの偏光方向を常に一定となるようにし、焦点位置が安定して走査面上に合うようにして、高画質の記録を行えるようにした光ビーム偏向器を新たに提供することを目的とする。
【課題を解決するための手段】
【００１４】
本発明の請求項１に記載の光ビーム偏向器は、記録媒体に画像を記録するため、画像情報に応じて変調された光ビームを、回転駆動される偏向部材の反射面で偏向し走査する光ビーム偏向器において、画像情報に応じて変調された光ビームを円偏光の状態で偏向部材へ向けて出射する光源側の光学系と、光源側の光学系から円偏光の状態で出射された光ビームを、反射面に対してＳ偏光となるように変換して偏向部材の反射面に入射される状態を保つように反射面と同期して回動するよう設置された円偏光を直線偏光に変換する手段と、を有することを特徴とする。
【００１５】
請求項２に記載の発明は請求項１に記載の光ビーム偏向器において、光源側の光学系を、光源から出射された直線偏光の光ビームを、λ／４偏光板で円偏光に変換するように構成したことを特徴とする。
【００１６】
前述のように構成することにより、光源側の光学系から画像情報に応じて変調された光ビームを円偏光の状態で偏向部材へ向けて出射し、この偏向部材の反射面と同期して回動する円偏光を直線偏光に変換する手段によって反射面に対してＳ偏光となるような状態に変換してから、偏向部材の反射面に反射させて、焦点位置を走査面上に合わせて安定して結像させることにより高精度で露光することができる。
【００１７】
請求項３に記載の発明は、請求項１又は請求項２に記載の光ビーム偏向器において、光源側の光学系から出射された円偏光の光ビームを、反射面に対してＳ偏光に変換するためのλ／４偏光板を、偏向部材の入射面に貼着して設置したことを特徴とする。
【００１８】
上述のように構成することにより、請求項１又は請求項２に記載の発明の作用、効果に加えて、偏向部材に対しλ／４偏光板を容易に一体化でき、しかも固定用の部材を用いないので、λ／４偏光板を一体化した偏向部材を軽量に構成できる。
【発明の効果】
【００１９】
本発明の光ビーム偏向器によれば、高速回転されている偏向部材に対し、光源側から出射された露光用の光ビームを、偏向部材の反射面に対して常にＳ偏光となるように入射させることにより、焦点位置を安定して走査面上に合わせて高画質の記録を行えるようにして、高速で高画質な画像を形成可能とした光ビーム偏向器を容易かつ廉価に製造できるという効果がある。
【発明を実施するための最良の形態】
【００２０】
本発明の光ビーム偏向器に関する実施の形態について、図１乃至図１０により説明する。本実施の形態に係わる光ビーム偏向器は、オフセット印刷用の感光性平版印刷版（いわゆるＰＳ版）を記録媒体とし、コンピュータ等のデジタルデータに基づいてレーザー露光処理をし、自動現像機で感光性平版印刷版上に形成された潜像を顕像に変換する現像処理をして直接印刷版を製版するＣＴＰシステムに用いて好適なものである。
【００２１】
図１及び図２には、本実施の形態に係る、光ビーム偏向器としての内面ドラム型画像形成装置（インナードラム露光装置）を備えたＣＴＰシステムの概略構成が示されている。
【００２２】
このＣＴＰシステムは、印刷版供給カセット２０を備えた自動送給装置１０と、印刷版供給カセット内の感光性平版印刷版であるＰＳ版（記録媒体）２２を１枚づつ分離して供給する枚葉供給装置１２と、インナードラム露光装置１４と、バッファ装置１６と、現像処理装置１８とを備える。
【００２３】
このＣＴＰシステムでは、露光処理の対象とする記録媒体として、例えば薄いアルミニウム板である支持体上に感光材料を含有する画像記録層を形成したＰＳ版若しくはフォトポリマー版又は銀塩タイプの感光材料等を用いることができる。
【００２４】
このＣＴＰシステムにおける自動送給装置１０は、外部から作業員が搬入した複数の印刷版供給カセット２０をそれぞれ保管棚２４上に保管し、所要の印刷版供給カセット２０を枚葉供給装置１２へ供給する。
【００２５】
この枚葉供給装置１２は、供給された印刷版供給カセット２０の蓋を開放し、内部に収納されているＰＳ版２２の束を引き上げ機構２６で引き上げながら、分離ローラ２８で１枚づつ分離してインナードラム露光装置１４へ供給する。なお、この枚葉供給装置１２には、重ねられたＰＳ版２２の間に感光面保護のため挟み込まれた合紙３０を分離してストックする合紙除去部３２を備える。
【００２６】
図２及び図３に示すように、ＣＴＰシステムにおける光ビーム偏向器としてのインナードラム露光装置１４は、円弧内周面形状（円筒内周面の一部を構成する形状）の内面ドラム（支持体）３４を母体として構成されており、この内面ドラム３４の内周面に沿ってＰＳ版２２を支持するようになっている。
【００２７】
このインナードラム露光装置１４では、図示しない真空吸着手段によって、未記録の記録媒体であるＰＳ版２２を内面ドラム３４の内周面に確実に密着させて沿わせた状態に保持してから露光処理を行う。
【００２８】
このインナードラム露光装置１４では、内面ドラム３４の円弧中心位置に、光ビーム偏向器としてのスピナーミラー装置３６を配設する。このスピナーミラー装置３６は、図３に示すようにプリズム部材（スピナーミラー）を構成する、いわゆるキュービックプリズム（反射鏡部材）３８を頂面に配置した回転軸４０を、図示しない制御装置のスピナードライバによって回転制御がされる駆動源であるモータによって高速回転（例えば１０，０００ｒｐｍ以上）可能に構成する。図２に示すように、このスピナーミラー装置３６では、回転軸４０の回転中心軸を内面ドラム３４の円弧中心軸と一致するように構成する。
【００２９】
このスピナーミラー装置３６では、光源側の光学系から投射された画像情報に応じて変調された光ビームを、偏向部材（プリズム部材）である回動するキュービックプリズム３８の反射面４２に反射させてＰＳ版２２の感光面に対して主走査方向への走査露光を行う。
【００３０】
また、このインナードラム露光装置１４では、高速回転されている偏向部材であるキュービックプリズム３８に対し、光源側から出射された画像情報に応じて変調された露光用の光ビームを、偏向部材としてのキュービックプリズム３８の反射面４２に対して常にＳ偏光となるように入射させることにより焦点位置を安定して走査面上に合わせて高画質の記録を行えるようにする。
【００３１】
このため、このインナードラム露光装置１４では、図示しない光源側の光学系から投射される画像情報に応じて変調された光ビームを円偏光とし、この円偏光の光ビームを偏向部材としてのキュービックプリズム３８と一体的に回転する円偏光を直線偏光に変換する手段であるλ／４偏光板（λ／４波長板）４４で直線偏光に変換すると共に、このλ／４偏光板４４とキュービックプリズム３８との相対的な回転角度を調整することにより、λ／４偏光板４４で直線偏光に変換されてキュービックプリズム３８に入射する露光用の光ビームが反射面４２に対して常にＳ偏光となるように構成する。
【００３２】
なお、円偏光を直線偏光（Ｓ偏光）に変換する手段は、λ／４偏光板以外に、偏光フィルタ（ポラライザ）、偏光プリズムであるグラントムソンプリズム、偏光プリズムであるグランイーザプリズム等を利用して構成することができる。また、円偏光を直線偏光に変換する手段としてλ／４偏光板４４を利用する場合には、円偏光を直線偏光に変換する際に光量が減少しないようにできるので、有利である。
【００３３】
このインナードラム露光装置１４では、例えば、直線偏光のレーザービームを出射するレーザービーム光源からスピナーミラー装置３６のキュービックプリズム３８へ至る光路上に直線偏光を円偏光に変換する手段としてのλ／４偏光板（λ／４波長板）４６を配置し、この光源からキュービックプリズム３８へ至る光路上におけるλ／４偏光板４６とキュービックプリズム３８との間に、キュービックプリズム３８にＳ偏光となる光ビームを入射させる角度状態で、λ／４偏光板４４をキュービックプリズム３８と一体に回動するよう配置する。
【００３４】
なお、このようにキュービックプリズム３８に一体的に取り付けるλ／４偏光板４４は、このλ／４偏光板４４を透過し直線偏光とされた光ビームが、キュービックプリズム３８の反射面４２に対してＳ偏光となって入射するように結晶軸を合わせてキュービックプリズム３８の入射面の外形に対応した矩形板状に形成する。
【００３５】
そして、このように矩形板状に形成したλ／４偏光板４４は、その外形をキュービックプリズム３８の入射面の外形に合わせるようにして位置決めすることにより、いわゆるＳ偏光状態を作り出すように取り付ける。
【００３６】
このキュービックプリズム３８の入射面にλ／４偏光板４４を取り付けるに当たっては、ＰＳ版２２での感光層の感光特性や許容誤差により露光用の光ビームのビームスポット径に対する要求が異なること等を勘案し、Ｓ偏光状態を作り出すためのキュービックプリズム３８の入射面に対するλ／４偏光板４４の取り付け精度を、要求されるビームスポット径に応じて決めるようにしてもよい。
【００３７】
また、このインナードラム露光装置１４では、例えば図４に示すように、キュービックプリズム３８の光ビーム入射面に、λ／４偏光板４４を、一般に用いられる光学部材用の接着剤（例えば、エポキシ樹脂又は紫外線硬化樹脂等を利用できる）で一体的に貼着して一体に回動するよう構成する。このように、キュービックプリズム３８に対しλ／４偏光板４４を貼着する場合には、別体の固定用部材を用いないので、λ／４偏光板４４を一体化したキュービックプリズム３８部分を軽量に構成し、高速回転させることを容易にできる。
【００３８】
または、このインナードラム露光装置１４では、図５に示すように、キュービックプリズム３８とλ／４偏光板４４との両者を、側面コの字状のホルダ４８で一体的に保持するように構成しても良い。
【００３９】
このインナードラム露光装置１４では、前述のように、直線偏光のレーザービームを出射するレーザービーム光源からスピナーミラー装置３６のキュービックプリズム３８へ至る光路上に直線偏光を円偏光に変換するλ／４偏光板４６を配置してスピナーミラー装置３６におけるキュービックプリズム３８のλ／４偏光板４４へ円偏光の光ビームを入射させるように構成しているが、レーザービーム光源装置を、位相板を利用して偏光を制御することにより光源から出射された光を全てλ／４偏光板４４でＳ偏光に変換してキュービックプリズム３８へ入射させるように構成すれば、照度損失を無くして効率良く露光処理することができる。
【００４０】
さらに、このインナードラム露光装置１４では、レーザービーム光源装置本体から円偏光のレーザービームを出射させるように構成し、この円偏光の光ビームを直接λ／４偏光板４４からキュービックプリズム３８へ入射させるように構成しても良い。
【００４１】
このインナードラム露光装置１４におけるスピナーミラー装置３６は、図示しない副走査移動手段によって、内面ドラム３４の円弧中心軸の軸線方向（図２の表面から裏面に貫通する方向）に等速度で移動制御されることにより副走査する。
【００４２】
このためスピナーミラー装置３６では、制御装置のスピナードライバによって、そのモータの回転制御がされると共に、図示しない副走査移動手段により副走査方向に移動制御される。
【００４３】
このように構成されたスピナーミラー装置３６は、光源側の光学系から投射され画像情報に応じて変調された光ビームを、回動するキュービックプリズム３８の反射面４２に反射させて主走査方向への走査露光を行いながら、スピナーミラー装置３６を副走査方向へ移動することによって、ＰＳ版２２の記録面全面に対して２次元の画像を記録する処理を行う。
【００４４】
上述のように構成したインナードラム露光装置１４で露光処理を行う際には、図４に示すように、光源側から直接出射され又はλ／４偏光板４６で変換された円偏光の光ビームが、スピナー回転数１００００ｒｐｍ以上で回動している、λ／４偏光板４４に入射してＳ偏光に変換されて、同じスピナー回転数で回動しているキュービックプリズム３８の反射面４２で反射されると、図に想像線及び点線で示すように、１点で集光する状態となる（特に３００００ｒｐｍ以上でも同じ状態となる）。
【００４５】
すなわち、このインナードラム露光装置１４では、図４に示すように光ビームがＳ偏光となって１点で集光する状態となるで、スピナーミラー装置３６で偏向されてＰＳ版２２上に集光される光ビームが図６に示すように、焦点位置で所定の小さな平面円形のビームスポットに結像し焦点位置の前後の位置でも平面円形の整ったビーム形状を成す適正状態とできるため、焦点位置を走査面上に合わせて所定の小さなビームスポットを安定して結像させることにより高精度で画像を露光し、精細な画像を形成して画像品質を向上できる。
【００４６】
例えば、このインナードラム露光装置１４では、図８（Ａ）に示すような矩形波の露光信号に基づいてＰＳ版２２上に網点の小点を露光する場合には、ビームスポットの分布形状を図８（Ｃ）に示すように急峻にすることによって、適切な大きさの網点の小点を露光することができる。
【００４７】
また、このインナードラム露光装置１４では、λ／４偏光板４４をキュービックプリズム３８部分に配置し、さらに必要に応じてλ／４偏光板４６を光源側の光路上に配置するという簡素な構成で上述した適切な露光処理を行えるように構成できるから、スピナーミラー装置３６を廉価に製造できる。
【００４８】
ここで、本実施の形態に係わるインナードラム露光装置１４による効果を示すため、図９に例示する非偏光状態の光ビームを単体のキュービックプリズムで偏向する構成のインナードラム露光装置と比較して説明する。
【００４９】
この比較例のインナードラム露光装置では、図９に示すように、高速で回動している単体のキュービックプリズム３８の反射面４２で非偏光状態又は回転に同期しない直線偏光の光ビームを反射させてから結像させるときには、Ｐ偏光成分の光が入射することになり、図に想像線及び点線で示すように、主走査方向の焦点位置と副走査方向の焦点位置とがずれる現象（いわゆる非点収差の状態）が発生する。
【００５０】
すなわち、この比較例のインナードラム露光装置１４では、スピナーミラー装置３６で偏向されてＰＳ版２２上に集光される光ビームが図７に示すように、集光する範囲の中間位置で大きな平面円形のビームスポットとなり、集光する範囲の前後の位置で平面楕円形のビーム形状を成す不適正な状態となるため、走査面上に焦点が適正に合わず大きなビームスポットで結像することとなって記録された画質が劣化する。
【００５１】
例えば、この比較例のインナードラム露光装置１４では、図８（Ａ）に示すような矩形波の信号に基づいてＰＳ版２２上に網点の小点を露光する場合には、ビームスポットの分布形状が図８（Ｂ）に示すように緩やかな傾斜で広く分布するようになって、網点の小点を適切な大きさに露光することができなくなる。
【００５２】
ここで、インナードラム露光装置において、スピナーミラー装置３６のキュービックプリズム３８の回転速度を変化させながら、副走査方向のピント位置と主走査方向のピント位置のずれ量ｄを測定する実験を行ったところ、図１０に示す結果がえられた。
【００５３】
この図１０に示す実験結果より、キュービックプリズム３８の反射面４２に対するＳ偏光の光ビームを用いて露光処理した場合には、副走査方向のピント位置と主走査方向のピント位置のずれ量ｄを、例えば、スピナー回転数が４００００ｒｐｍでも無くすことができることが理解できる。
【００５４】
また、キュービックプリズム３８の反射面４２に対するＰ偏光の光ビームを用いて露光処理した場合には、副走査方向のピント位置と主走査方向のピント位置のずれ量ｄが、例えば、スピナー回転数が４００００ｒｐｍで２００μｍという大きな値となることが理解できる。
【００５５】
上述の実験結果より、このインナードラム露光装置１４では、Ｓ偏光となる光ビームを利用することにより、スピナーミラー装置３６で偏向されてＰＳ版２２上に集光される光ビームを１点で集光させて所定の小さなビームスポットを安定して結像可能なことが理解できる。
【００５６】
図１及び図２に示すように、このＣＴＰシステムでは、上述のようにしてインナードラム露光装置１４で露光処理されたＰＳ版２２を、バッファ装置１６で搬送速度を調整することによって所要のタイミングで現像処理装置１８へ搬出する。
【００５７】
現像処理装置１８は、搬入されて来た露光済のＰＳ版２２に対する現像処理を行って潜像を顕像化し、印刷版の製版を完了する。
【００５８】
なお、本発明は、上述した実施の形態に限定されるものではなく、本発明の要旨を逸脱しない範囲で、その他種々の構成を取り得ることは勿論である。
【図面の簡単な説明】
【００５９】
【図１】本発明の実施の形態に係る光ビーム偏向器を備えたＣＴＰシステムの概略構成を示す斜視図である。
【図２】本発明の実施の形態に係るＣＴＰシステム内部の構成を示す概略説明図である。
【図３】本発明の実施の形態に係るインナードラム露光装置のスピナーミラー装置の部分を取り出して示す要部斜視図である。
【図４】本発明の実施の形態に係わるスピナーミラー装置の要部を示す概略斜視図である。
【図５】本発明の実施の形態に係わるスピナーミラー装置の他の構成の要部を示す概略斜視図である。
【図６】本発明の実施の形態に係わるスピナーミラー装置で適正に露光処理するときのビームスポットの状態を示す説明図である。
【図７】本発明の実施の形態に係わるスピナーミラー装置の効果を説明するための比較例として不適切に露光されるときのビームスポットの状態を例示する説明図である。
【図８】（Ａ）は、本発明の実施の形態に係わるスピナーミラー装置の効果を説明するため、ビームスポットを露光する露光信号を示す説明図。（Ｂ）は、比較例として、露光信号に基づいて照射される不適切なビームスポットの分布形状を示す説明図。（Ｃ）は、露光信号に基づいて照射される適切なビームスポットの分布形状を示す説明図である。
【図９】本発明の実施の形態に係わるスピナーミラー装置の効果を説明するための比較例としてのキュービックプリズムで不適切に露光されるときの状態を例示する説明図である。
【図１０】本発明の実施の形態に係わるスピナーミラー装置による効果を裏付けるための実験結果を示すグラフである。
【符号の説明】
【００６０】
１４  インナードラム露光装置
２２  ＰＳ版
３４  内面ドラム
３６  スピナーミラー装置
３８  キュービックプリズム
４０  回転軸
４２  反射面
４４  λ／４偏光板
４６  λ／４偏光板
４８  ホルダ
【図１】
2007156185.tif 000003
【図２】
2007156185.tif 000004
【図３】
2007156185.tif 000005
【図４】
2007156185.tif 000006
【図５】
2007156185.tif 000007
【図６】
2007156185.tif 000008
【図７】
2007156185.tif 000009
【図８】
2007156185.tif 000010
【図９】
2007156185.tif 000011
【図１０】
2007156185.tif 000012